(57)【要約】【課題】記録データを他の記録媒体にコピーする際に、複数種類の記録データから適切な種類の記録データを選択して記録することにより、コピー時のフォーマット変換を省略しコピー時間を短くする情報記録装置および方法を提供する。【解決手段】ＡＶエンコード部２２が外部から供給される映像信号を複数種類の録画方式で同時にエンコードし、エンコードされた複数種類の録画方式の記録データがそれぞれＨＤＤ部７０に記録される。コピー時、コピー先の記録媒体３０、１９ａの種類をチェックし、ＨＤＤ部７０に記録された記録データから適切なデータフォーマットの記録データをコピー先の記録媒体３０、１９ａに記録する。【選択図】　　　図８
2004118986.tif 000002
【特許請求の範囲】
【請求項１】
記録媒体に映像信号を記録する情報記録装置において、
外部から供給される映像信号を複数種類の録画方式で同時にエンコードするエンコーダ部と、
このエンコーダ部でエンコードされた複数種類の録画方式の記録データをそれぞれ前記記録媒体に記録する記録部と
を具備したことを特徴とする情報記録装置。
【請求項２】
記録媒体に映像信号を記録する情報記録装置において、
外部から供給される映像信号を複数種類の録画方式で同時にエンコードするエンコーダ部と、
このエンコーダ部でエンコードされた複数種類の録画方式の記録データをそれぞれ前記記録媒体に記録する記録部と、
この記録部により前記記録媒体に記録された各種類の記録データの管理情報を作成する管理情報作成部と
を具備したことを特徴とする情報記録装置。
【請求項３】
記録媒体に映像信号を記録する情報記録装置において、
外部から供給される映像信号を複数種類の録画方式で同時にエンコードするエンコーダ部と、
このエンコーダ部でエンコードされた複数種類の録画方式の記録データをそれぞれ第１の記録媒体に記録する記録部と、
この記録部により前記第１の記録媒体に記録された各種類の記録データの管理情報を作成する管理情報作成部と、
前記第１の記録媒体に記録された記録データがコピーされる第２の記録媒体の種類を判別する種別判定部と、
この種別判別部が判定した前記第２の記録媒体の種類に対応した圧縮方式のデータフォーマットを判定するフォーマット判定部と、
このフォーマット判定部の判定結果と前記管理情報作成部で作成された管理情報とに応じて前記第１の記録媒体に記録された複数の記録データから前記第２の記録媒体にコピーする記録データを特定するコピーデータ特定部と
を具備したことを特徴とする情報記録装置。
【請求項４】
前記管理情報は録画開始時間情報を有し、前記コピーデータ特定部はこの録画開始時間情報が同じ複数種類の記録データから前記第２の記録媒体にコピーする記録データを特定することを特徴とする請求項３記載の情報記録装置。
【請求項５】
前記フォーマット判定部は前記第２の記録媒体に対応した圧縮方式のデータフォーマットを、前記種別判定部の判別結果で前記第２の記録媒体の種類がＤＶＤ−ＲＡＭディスクと判定された場合はＤＶＤ−ＲＴＲフォーマットまたはＭＰＥＧ４、ＤＶＤ−Ｒディスクと判定された場合はＤＶＤ−Ｖｉｄｅｏ、ＣＤ−Ｒと判定された場合はＶｉｄｅｏ−ＣＤまたはモーションＪＰＥＧ、ＩＣカードまたはリムーバブルＨＤＤと判定された場合はモーションＪＰＥＧまたはＭＰＥＧ４と判定することを特徴とする請求項３または４記載の情報記録装置。
【請求項６】
記録媒体に映像信号を記録する情報記録装置において、
前記記録媒体の種類を判定する種別判定部と、
この種別判定部で判定された記録媒体の種類に対応した圧縮方式のデータフォーマットを判定するフォーマット判定部と、
このフォーマット判定部で判定した結果を基に、映像信号を所定のデータフォーマットに変換するデータ変換部と
を具備したことを特徴とする情報記録装置。
【請求項７】
記録媒体に映像信号を記録する情報記録方法において、
外部から供給される映像信号を複数種類の録画方式で同時にエンコードし、エンコードされた複数種類の録画方式の記録データをそれぞれ前記記録媒体に記録することを特徴とする情報記録方法。
【請求項８】
記録媒体に映像信号を記録する情報記録方法において、
外部から供給される映像信号を複数種類の録画方式で同時にエンコードし、エンコードされた複数種類の録画方式の記録データをそれぞれ前記記録媒体に記録し、前記記録媒体に記録された各種類の記録データの管理情報を作成することを特徴とする情報記録方法。
【請求項９】
記録媒体に映像信号を記録する情報記録方法において、
外部から供給される映像信号を複数種類の録画方式で同時にエンコードし、エンコードされた複数種類の録画方式の記録データをそれぞれ第１の記録媒体に記録し、前記第１の記録媒体に記録された各種類の記録データの管理情報を作成し、前記第１の記録媒体に記録された記録データがコピーされる第２の記録媒体の種類を判別し、判定した前記第２の記録媒体の種類に対応した圧縮方式のデータフォーマットを判定し、この判定結果と前記管理情報とに応じて前記第１の記録媒体に記録された複数の記録データから前記第２の記録媒体にコピーする記録データを特定することを特徴とする情報記録方法。
【請求項１０】
記録媒体に映像信号を記録する情報記録方法において、
前記記録媒体の種類を判定し、判定された記録媒体の種類に対応した圧縮方式のデータフォーマットを判定し、この判定結果を基に映像信号を所定のデータフォーマットに変換することを特徴とする情報記録方法。
【発明の詳細な説明】
【０００１】
【発明の属する技術分野】
本発明は外部から供給される映像情報を光ディスク等の記録媒体に録画する情報記録装置および方法に関する。
【０００２】
【従来の技術】
近年、国際規格化したＭＰＥＧ２方式を使用すると共にＡＣ３オーディオ圧縮方式を採用し、光ディスクに映像や音声等のデータを記録／再生するＤＶＤ規格が普及してきた。
【０００３】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートし、さらに字幕用としてビットマップデータをランレングス圧縮した副映像データ、早送り巻き戻しなどの特殊再生用コントロールデータ（ナビパック）を追加して構成されている。
【０００４】
メディア自身の規格としては、ＤＶＤ−Ｖｉｄｅｏで使用するメディアであるＤＶＤ−ＲＯＭに続き、ＤＶＤ−ＲＡＭの規格も完成し、ＤＶＤ−ＲＡＭドライブもコンピュータ周辺機器として普及している。さらに、このＤＶＤ−ＲＡＭを利用したリアルタイムな録再が可能なＤＶＤ−Ｖｉｄｅｏ規格であるＲＴＲ−ＤＶＤ（Ｒｅａｌ　Ｔｉｍｅ　Ｒｅｃｏｒｄｅｒ−ＤＶＤ）の規格が完成した。この規格を用いた機器は、ＴＶ放送などの記録再生を行い現在のＶＴＲに変わるものとして普及してきている。
【０００５】
現在、これら規格を含め、ＴＶ録画したデジタルデータとしては、ＤＶＤ−Ｖｉｄｅｏ規格、ＤＶＤ−ＲＴＲ規格、Ｖｉｄｅｏ−ＣＤ規格、さらにデジタル放送の保存などに使われているＤ−ＶＨＳなどの保存されているトランスポートストリームを主体とした方式などさまざまな方式が乱立することになっている。
【０００６】
そこで、異なるＤＶＤ規格の記録データを磁気ディスク装置の中にまとめて記録し、再生時に異なるＤＶＤ規格を統合して再生する方法が考えられている（例えば、特許文献１参照。）。
【０００７】
【特許文献１】
特開２００２−９４９４２号公報（第１２−１８頁、第１１図）
【０００８】
【発明が解決しようとする課題】
しかし、上記特許文献１では磁気ディスク装置から光ディスク媒体に記録データをコピーにする際の高速化については考慮されておらず、異なるＤＶＤ規格の記録データ間のコピー時においてはコピー開始時にコピー元の記録データをコピー先の記録媒体に対応した圧縮方式のデータフォーマットに変換しなければならず、記録データのコピー処理に多大な時間を要するという問題があった。
【０００９】
本発明は上記問題点に鑑み、記録データのコピー時の処理時間を短縮し、記録媒体間における記録データの相互移行を容易にする情報記録装置および方法を提供することを目的とする。
【００１０】
【課題を解決するための手段】
本発明の情報記録装置および方法は、外部から供給される映像信号を複数種類の録画方式で同時にエンコードし、エンコードされた複数種類の録画方式の記録データをそれぞれ記録媒体に記録する。
【００１１】
本発明により、記録データを他の記録媒体にコピーする際には、複数種類の記録データから適切な種類の記録データを選択して記録することにより、コピー時のフォーマット変換を省略しコピー時間を短くすることが可能になる。
【００１２】
【発明の実施の形態】
以下、図面を参照して、本発明の実施形態を説明する。
図１は本発明の実施形態に係わる情報記録装置であるＤＶＤレコーダ装置の構成を示すブロック図である。
ＤＶＤレコーダ装置１は、レコーダ装置１の全体の制御を司るメインプロセッサユニット（以下、ＭＰＵと称する）１０と、入力される映像／音声等のコンテンツ情報をＭＰＥＧ１またはＭＰＥＧ２規格に基づきエンコードすなわちＭＰＥＧ圧縮しＤＶＤ規格に基づくファイル構造の記録データを生成するエンコーダ部２０と、反複書込み／読出し可能でありレコーダ装置１に対して着脱自在なＤＶＤ−ＲＡＭディスクやＤＶＤ−ＲディスクやＣＤ−Ｒ等の光ディスク３０への記録データの書込みおよび光ディスク３０からの記録データの読出しを行うディスクドライブ部４０と、光ディスク３０に記録されたデータをデコードするデコーダ部５０と、エンコーダ部２０からの記録データをディスクドライブ部４０に供給しまたディスクドライブ部４０から読み出された記録データをデコーダ部５０に供給するデータプロセッサ部６０と、ディスクドライブ部４０を介して記録されるデータまたはディスクドライブ部４０から読み出される記録データを一時記憶する磁気ディスクを備えた磁気ディスクドライブ（以下、ＨＤＤと称する）部７０から構成される。
【００１３】
ＭＰＵ部１０は、レコーダ装置１を制御するための制御プログラムが格納されたＲＯＭ部１１、プログラム実行に必要なワークエリアを提供するＲＡＭ部１２、光ディスク３０に記録された記録データの管理情報を作成する管理情報作成部１３と、光ディスク３０の種類（ＤＶＤ−ＲＡＭ／ＤＶＤ−Ｒ／ＣＤ−Ｒ／ＣＤ−ＲＷ）またはリムーバブルカード（ＩＣメモリカード／ＨＤＤカード）１９ａの種類を判別する種別判別部１４、種別判別部１４が判定した光ディスク３０またはリムーバブルカード１９ａの種類に対応した圧縮方式のデータフォーマットを判定するフォーマット判定部１５とを有する。
【００１４】
また、ＭＰＵ部１０はレコーダ装置１のコントロールパネル上に設けられたボタンまたはリモコン装置からなるキー入力部１７から操作要求データを受ける。また、ＭＰＵ部１０はレコーダ装置１のコントロールパネル上に設けられたインディケータパネルからなる表示部１８にステータス情報を表示する。
【００１５】
また、ＭＰＵ部１０はインタフェース（Ｉ／Ｆ）部１９を介してＩＣメモリカードやＨＤＤカード等のリムーバブルカード１９ａにデータを記録、またリムーバブルカード１９ａからデータを読み出す。
【００１６】
エンコーダ部２０は、ＡＶ入力部９１またはテレビジョン（ＴＶ）チューナ部９２から入力されるアナログオーディオ／ビデオ信号をデジタルオーディオ／ビデオ信号に変換するＡ／Ｄコンバータ２１、Ａ／Ｄコンバータ２１で変換されたデジタルビデオ信号をＭＰＥＧ１またはＭＰＥＧ２規格に基づき可変ビットレートで圧縮されたデジタル信号に変換しまたＡ／Ｄコンバータ２１で変換されたデジタルオーディオ信号をＭＰＥＧ規格またはＡＣ−３規格に基づき固定ビットレートで圧縮されたデジタル信号に変換するＡＶエンコード部２２、ワークメモリとして使用されるバッファメモリ２３、ＡＶエンコード部２２から送られるデジタル信号をＤＶＤ規格に基づくファイル構造に合致した記録データ（ＭＰＥＧストリーム）を生成しデータプロセッサ部６０に出力するフォーマッタ部２４を有する。また、エンコーダ部２０では映像情報に重畳される字幕等の副映像情報もエンコード処理し、データプロセッサ部６０に出力する。なお、デジタルオーディオ／ビデオ信号がＡＶ入力部９１またはテレビジョン（ＴＶ）チューナ部９２から入力された際は、Ａ／Ｄコンバータ２１への入力はパススルーされ、デジタルオーディオ／ビデオ信号は直接ＡＶエンコード部２１に入力される。
【００１７】
デコーダ部５０は、ディスクドライブ部４０およびデータプロセッサ部６０を介して光ディスク３０から読み出されるＤＶＤ規格のファイル構造に合致しＭＰＥＧ圧縮された記録データからオーディオデータ部分およびビデオデータ部分ならびに副映像情報部分を分離するセパレータ部５１、セパレータ部５１が分離処理を行う際のワークメモリとして用いられるメモリ５２、セパレータ部５１で分離されたオーディオデータ部分およびビデオデータ部分ならびに副映像情報部分をデコード（復元処理）するＡＶデコード部５３、デコードされたビデオデータおよび副映像情報を重畳して出力するビデオプロセッサ部５４を有する。
【００１８】
ビデオプロセッサ部５４から出力されるビデオデータはビデオミキシング部８０およびＤ／Ａコンバータ８１を介してモニタ部８２に出力される。また、ＡＶデコード部５３でデコード処理されたオーディオデータはＤ／Ａコンバータ８３を介してスピーカ部８４に出力される。
【００１９】
なお、ＭＰＵ部１０がエンコーダ部２０、デコーダ部５０、ディスクドライブ部４０、データプロセッサ部６０等を制御するタイミングは、システムタイムカウンタ（以下、ＳＴＣと称する）部９３からの時間データに基づく。
【００２０】
ここで、本実施形態に係わる記録データのディレクトリ構造について説明する。
図２はＤＶＤ−ＲＴＲ規格およびＤＶＤ−Ｖｉｄｅｏ規格で記録された記録データのディレクトリ構造と管理情報作成部で作成されたコピー管理情報が記録されるコピー管理ファイルを示している。
【００２１】
ＤＶＤでは規格ごとにディレクトリが存在し、これらディレクトリ名をＤＶＤ−Ｖｉｄｅｏは「ＶＩＤＥＯ＿ＴＳ」、ＤＶＤ−ＲＴＲでは「ＤＶＤ＿ＲＴＲ」としている。各規格のデータフォーマットで記録された記録データはこのディレクトリの中に存在している。
【００２２】
ＤＶＤにおいて記録データはファイル形式で保存される。タイトルは例えば映画の一本分に相当し、一枚の光ディスクにこのタイトルが複数入っている。このタイトルが集まったものをタイトルセットと称し、このタイトルセットは複数のファイルで構成されている。
【００２３】
ＤＶＤ−Ｖｉｄｅｏのディレクトリ「ＶＩＤＥＯ−ＴＳ」の中には、ＤＶＤ−Ｖｉｄｅｏのデータフォーマットで記録された記録データを管理するためのビデオマネージャ情報（ＶＭＧＩ）が格納されるＶＭＧＩファイル（ＶＭＧ．ＩＦＯ）、タイトルセット（ＶＴＳ）を管理するためのビデオタイトルセット情報（ＶＴＳＩ）が格納されたビデオタイトルセット情報ファイル（ＶＴＳ．ＩＦＯ）と、ビデオデータが格納されたビデオオブジェクトファイル（ＶＴＳ．ＶＯＢ）と、ＶＭＧＩのバックアップファイル（ＶＭＧ．ＢＵＰ）が存在する。
【００２４】
ＤＶＤ−ＲＴＲではＶＭＧＩとＶＴＳＩを一緒にしてＶＭＧを構成し、ビデオデータファイルの管理している。ディレクトリ「ＤＶＤ＿ＲＴＲ」の中にはＶＭＧファイル（ＲＴＲ．ＩＦＯ）、ムービービデオファイル（ＲＴＲ＿ＭＯＶ．ＶＲＯ）、スチルピクチャビデオファイル（ＲＴＲ＿ＳＴＯ．ＶＲＯ）、スチルピクチャオーディオファイル（ＲＴＲ＿ＳＴＡ．ＶＲＯ）、ＶＭＧファイルのバックファイル（ＲＴＲ．ＢＵＰ）が存在する。
【００２５】
ＲＴＲ．ＩＦＯにはナビゲーションデータが記録される。このナビゲーションデータはプログラムセット、プログラム、エントリポイント、プレイリスト等を進行させるためのデータである。ＲＴＲ＿ＭＯＶ．ＶＲＯにはムービービデオオブジェクトが記録される。ＲＴＲ＿ＳＴＯ．ＶＲＯにはスチルピクチャビデオオブジェクトが記録される。ＲＴＲ＿ＳＴＡ．ＶＲＯにはスチルピクチャに対する付加オーディオストリームが記録される。
【００２６】
図３はＤＶＤ−Ｖｉｄｅｏにおける「ＶＴＳ．ＶＯＢ」のファイル構造を、図４はＤＶＤ−ＲＴＲにおける「ＲＴＲ＿ＭＯＶ．ＶＲＯ」のファイル構造を示している。
【００２７】
ビデオファイルは階層構造で管理されており、１つのビデオオブジェクトセット（ＶＯＢＳ）は複数のビデオオブジェクト（ＶＯＢ）で構成されている。１つのＶＯＢは複数のビデオオブジェクトユニット（ＶＯＢＵ）で構成されている。このＶＯＢＵは複数の様々な種類のデータからなっているパックによって構成されている。１パックは１つ以上のパケットとパックヘッダで構成され、各ビデオデータ、オーディオデータはこのパケット内に記録されている。ＮＶパックおよびＲＤＩパックは管理情報が記録されたパックである。ＶパックはビデオデータがＭＰＥＧ２方式で圧縮されたものである。ＡパックはオーディオデータがＡＣ３やリニアＰＣＭ、ＭＰＥＧ等の方式で処理されたものである。
【００２８】
パックはデータ転送処理を行う最小単位である。さらに、論理上の処理を行う最小単位はセル単位で、論理上の処理はこの単位で行わる。データの再生する順番はプログラムチェーン（ＰＧＣ）で定義され、このＰＧＣには複数のプログラム（ＰＧ）が登録され、このＰＧにはセルが登録されている。このセルには再生すべきＶＯＢの番号とそのＶＯＢ内での再生時間が登録されており、セルの再生情報に従ってＶＯＢが再生される。
【００２９】
このＰＧＣの構造を実際に記録してあるのがＰＧＣＩである。再生処理はこのＰＧＣＩにしたがって行われ、記録時または編集時にＰＧＣＩを作成することになる。
また、ＤＶＤ−ＲＴＲでは記録順に再生する（ＶＴＲのような再生処理）ための特別なＰＧＣをオリジナルＰＧＣと称し、このオリジナルＰＧＣの情報はＯＲＧ＿ＰＧＣＩに記録されている。また、編集などにより作成されるＰＧＣをユーザーデファインＰＧＣと称し、このユーザーデファインＰＧＣの情報はＵＤ＿ＰＧＣＩに記録されている。以上のことから、ＯＲＧ＿ＰＧＣは１ディスクに１つとなり、ＵＤ＿ＰＧＣは複数存在することになる。
【００３０】
なお、コンピュータの業界で動画ファイルとしてはＭｏｔｉｏｎ　ＪＰＥＧ（電子カメラ系）、ＭＰＥＧ４、Ｍｅｄｉａ　Ｐｌａｙｅｒフォーマット等が一般的である。また、ＣＤ−Ｒにおける動画ファイルとしては、ＶＩＤＥＯ−ＣＤ（ＭＰＥＧ１）が代表的である。このように、動画ファイルと言っても、業界や使用する用途等によりさまざまなフォーマットが普及しており、使用する際にはデータの変換を行わないと処理できない場合がある。
【００３１】
図５は図１のＡ／Ｄ変換器２１およびＡＶエンコード部２２の詳細構造を示すブロック図である。
Ａ／Ｄ変換器２１はＡＶ入力部９１またはＴＶチューナ９２から送られる映像信号のうちビデオ信号をＡ／Ｄ変換するビデオ用Ａ／Ｄ変換器２１ａと映像信号のうちオーディオ信号をＡ／Ｄ変換するオーディオ用Ａ／Ｄ変換器２１ｂから構成される。ＡＶエンコード部２２は同時に記録できる圧縮フォーマット分だけのビデオエンコード部５０１、５０３およびオーディオエンコード部５０５、５０７、ビデオエンコード部５０１で使用されるビデオＲＡＭ５０９、ビデオエンコード部５０３で使用されるビデオＲＡＭ５１１を備えている。
【００３２】
ここで、図１のＤＶＤレコーダ装置１の記録データの流れを簡単に説明する。
ＡＶ入力部９１またはＴＶチューナ９２を介して外部から入力された映像信号はＡ／Ｄ変換器２１でデジタル変換される。このデジタル信号はＡＶエンコーダ部２２に入力される。ＡＶエンコーダ部２２はビデオ信号をＭＰＥＧ圧縮、オーディオ信号をＡＣ３圧縮またはＭＰＥＧオーディオ圧縮、文字データはランレングス圧縮する。ＡＶエンコーダ部２２は圧縮データを１パックが２０４８バイトになるようにパケット化し、フォーマッタ部２４へ出力する。フォーマッタ部２４は各パケットをパック化し多重化し、記録データとしてデータプロセッサ部６０に出力する。データプロセッサ部６０は１６パック毎にＥＣＣブロックを形成し、エラー訂正データを付けＨＤＤ部７０またはディスクドライブ部４０を介して光ディスクに出力し、記録データを記録する。
【００３３】
次に、本実施例に係わる複数種類の録画方式での同時エンコード処理を図５および図６を参照して説明する。図６は複数種類の録画方式での同時エンコード処理を説明するフローチャートである。
【００３４】
録画開始時、レコーダ装置１のＭＰＵ部１０はエンコード部２０の初期設定を行う（ステップＳ６０１）。初期設定において、ビデオエンコード部５０１とオーディオエンコード部５０５は例えばＤＶＤ−ＲＴＲ用に設定され、ビデオエンコード部５０３とオーディオエンコード部５０７は例えばＤＶＤ−Ｖｉｄｅｏ用に設定される。録画が開始されると、ＭＰＵ部１０はエンコード部２０に録画開始命令を設定する（ステップＳ６０３）。エンコード部２０に録画開始命令が設定されると、ビデオエンコード部５０１がＶＲＡＭ５０９を用いてＡ／Ｄ変換器２１ａから入力されるビデオ信号をＤＶＤ−ＲＴＲ用のデータフォーマットに変換すると共にオーディオエンコード部５０５がＡ／Ｄ変換器２１ｂから入力されるオーディオ信号をＤＶＤ−ＲＴＲ用のデータフォーマットに変換する（ステップＳ６０５）。同時に、ビデオエンコード部５０３がＶＲＡＭ５１１を用いてＡ／Ｄ変換器２１ａから入力されるビデオ信号をＤＶＤ−Ｖｉｄｅｏ用のデータフォーマットに変換すると共にオーディオエンコード部５０７がＡ／Ｄ変換器２１ｂから入力されるオーディオ信号をＤＶＤ−Ｖｉｄｅｏ用のデータフォーマットに変換する（ステップＳ６０７）。ここでステップＳ６０５とステップＳ６０７はタスク毎に処理が分割されることにより並列に処理が行われる。各エンコード部で変換されたデータはフォーマッタ部２４へ送られ、データプロセッサ部６０を介してＨＤＤ部７０に記録される（ステップＳ６０９）。
【００３５】
ＭＰＵ部１０はユーザにより録画終了がキー入力部１７を介して指示されたかを判断し（ステップＳ６１１）、録画終了が指示されたことを判断すると録画終了処理を行う（ステップＳ６１３）。録画終了処理において、ＭＰＵ部１０はＡＶエンコード部２２の情報から各記録データのＶＭＧＩを作成し、各ＶＭＧＩをＨＤＤ部７０に保存する。次に、ＭＰＵ部１０の管理情報作成部１３がＣＯＰＹ＿ＤＡＴＡというディレクトリを作成し、このディレクトリに今回記録した記録データのそれぞれの管理情報であるＰＧＣ番号、ＰＧ番号、セル番号、記録したビデオファイル名、録画時間等を保存する（ステップＳ６１５）。なお、ここで考えられるエンコード方式は、ＭＰＥＧ１、ＭＰＥＧ２、ＭＰＥＧ４、モーションＪＰＥＧ等である。
【００３６】
ここで、ディレクトリ「ＣＯＰＹ＿ＤＡＴＡ」の構成について説明する。図７はディレクトリ「ＣＯＰＹ＿ＤＡＴＡ」の構成を示す図である。
ＤＶＤレコーダ装置１においては記録データは必ずＤＶＤ−ＲＴＲのデータフォーマットで記録されるものとし、その記録データであるＰＧＣのプログラム（ＰＧ）毎に図７に示すテーブルで管理情報が定義される。ＰＧ番号領域７０１にはＤＶＤ−ＲＴＲのデータフォーマットで記録された記録データのプログラム番号に対応するプログラム番号が記録される。規格種類数領域７０３にはＤＶＤ−ＲＴＲ以外に同時エンコードされた記録データの数が記録される。ＤＶＤ−ＲＴＲと共にＤＶＤ−Ｖｉｄｅｏで映像信号が記録された場合には「１個」を示す情報が、ＤＶＤ−ＲＴＲと共にＤＶＤ−ＶｉｄｅｏおよびＶＩＤＥＯ−ＣＤで映像信号が記録された場合には「２個」を示す情報が記録される。規格名領域７０５には同時エンコードされた記録データに対応する規格の種類を示す情報が記録される。例えば、ＤＶＤ−Ｖｉｄｅｏの場合は「０１」、ＶＩＤＥＯ−ＣＤの場合は「０２」、Ｍｏｔｉｏｎ−ＪＰＥＧの場合は「０３」、ＭＰＥＧ４の場合は「０４」が記録される。規格の種類がＤＶＤ−Ｖｉｄｅｏの場合は規格名領域７０５ａの次にＤＶＤ−ＶｉｄｅｏでのＰＧＣ番号を示す情報が格納されるＰＧＣ番号領域７０７とＤＶＤ−ＶｉｄｅｏでのＰＧ番号を示す情報が格納されるＰＧ番号領域７０９が定義され、ＰＧ番号領域７０１で指定される記録データに対応するＤＶＤ−Ｖｉｄｅｏのデータフォーマットで記録された記録データの位置情報が記録される。他の規格の場合は規格名領域７０５ｂの次に記録データが格納されたファイル名が記録されるファイル名領域７１１が定義される。
【００３７】
次に、ＨＤＤ部７０に記録された記録データであるタイトルのコピー時の動作を図８を参照して説明する。図８は記録データのコピー時の処理を説明するフローチャートである。
【００３８】
まず、ユーザによりＨＤＤ部に記録されているＤＶＤ−ＲＴＲで記録された記録データからコピー対象となる記録データであるタイトルが選択される（ステップＳ８０１）。タイトルが選択されると、ＭＰＵ部１０の種別判定部１４はコピー先の記録媒体の種類をチェックする（ステップＳ８０３）。種別判定部１４がコピー先の記録媒体の種類をチェックすると、ＭＰＵ部１０のフォーマット判定部１５がチェック結果に応じた記録データの種類を判断する（ステップＳ８０５）。
【００３９】
ここで、フォーマット判定部１５はコピー先の記録媒体がＤＶＤ−ＲＡＭまたはＤＶＤ−ＲＷの場合は記録データの種類をＤＶＤ−ＲＴＲ、コピー先の記録媒体がＤＶＤ−Ｒの場合は記録データの種類をＤＶＤ−Ｖｉｄｅｏ、コピー先の記録媒体がＣＤ−Ｒの場合は記録データの種類をＶＩＤＥＯ−ＣＤ、コピー先の記録媒体がメモリカードの場合はＭｏｔｉｏｎ　ＪＰＥＧまたはＭｅｄｉａ　Ｐｌａｙｅｒと判断する。
【００４０】
次に、ＭＰＵ部１０はユーザに変更の有無を確認し（ステップＳ８０７）、変更が必要と指示された場合はデータ種類を変更する（ステップＳ８０９）。
記録データの種類が設定されると、ＭＰＵ部１０はコピー先の記録媒体のファイルシステムをチェックし（ステップＳ８１１）、ファイルシステムにエラーがあるかを確認し（ステップＳ８１２）、エラーがあればエラーメッセージを表示部１８またはモニタ部８２に表示させる（ステップＳ８１３）。
【００４１】
次に、ＭＰＵ部１０はＨＤＤ部７０に記録されたＣＯＰＹ＿ＤＡＴＡファイルを読出す（ステップＳ８１５）。ＭＰＵ部１０のコピーデータ特定部１６はＣＯＰＹ＿ＤＡＴＡファイルからコピー元のタイトルの情報を取り出してコピーする記録データを調べ、目的の種類（属性）の記録データが有るかどうかを調べる（ステップＳ８１７）。ＭＰＵ部１０のコピーデータ特定部１６は記録データが有るかを判断し（ステップＳ８１８）、目的の属性の記録データが有ると判断した場合はコピー先のディスクまたはＩＣカードに記録データをコピーする（ステップＳ８１９）。目的の属性の記録データが無い場合には、ＭＰＵ部１０はエラーメッセージを表示部１８またはモニタ部８２に表示させる（ステップＳ８２１）。記録データのコピー完了後、ＭＰＵ部１０は記録データがＤＶＤ規格に基づくものかをチェックする（ステップＳ８２３）。ＤＶＤ規格に基づく記録データであると場合、ＭＰＵ部１０はコピー元の記録データの管理情報（ＶＭＧＩまたはＶＴＳＩ）を基に、コピー先の管理ファイルを作成してコピー先の記録媒体に保存する（ステップＳ８２５）。
【００４２】
なお、ＣＯＰＹ＿ＤＡＴＡファイルが作成されていない場合は、録画時間を調べて録画開始時間が同じファイルを同じタイトルと考える。
さらに、タイトルをコピーする場合、前もってコピー用のデータファイルを用意するのではなく、データを変換しながらコピーを行う方法も考えられる。図９はデータを変換しながらコピーを行う際の処理を説明するフローチャートである。なお図８と同一ステップについては同一符号を付し説明を省略する。図９においてはステップＳ９０１でＤＶＤ−ＲＴＲフォーマットの記録データを読み出しながら目的の種類のデータフォーマットに変換しながら記録データをコピー先の記録媒体にコピーする。
【００４３】
また、ＡＶエンコード部２２は図５の構成以外に図１０に示す構成としても良い。図１０はＡＶエンコード部２２の他の実施形態を説明するブロック図である。図１０においてＡＶエンコード部２２は同時に記録できる圧縮フォーマットの数分だけフレームメモリ１０１、１０３、１０５、１０７と、１組のビデオエンコード部１０９とオーディオエンコード部１１１とを有する。図９のＡＶエンコード部２２は一定の量ずつ（１フレームまたは１ＧＯＰ毎）エンコードを行い、フォーマットを切り替えてエンコード処理を行う。この方法の場合、ＶＲＡＭ６１１中にフォーマット毎にワークメモリ１、２を持たせ、エンコード処理を切り替える毎に使用するワークメモリも切り替えることにより、エンコード処理を時分割で行えるようになる。この方法はエンコード処理が複雑となるが回路規模が比較的小さくなる。
【００４４】
【発明の効果】
本発明によれば、記録データを他の記録媒体にコピーする際には、複数種類の記録データから適切な種類の記録データを選択して記録することにより、コピー時のフォーマット変換を省略しコピー時間を短くすることが可能になる。
【図面の簡単な説明】
【図１】実施形態に係わる映像記録装置であるＤＶＤレコーダ装置の構成を示すブロック図
【図２】ＤＶＤ−ＲＴＲ規格およびＤＶＤ−Ｖｉｄｅｏ規格で記録された記録データのディレクトリ構造を示す図
【図３】ＤＶＤ−Ｖｉｄｅｏにおける「ＶＴＳ．ＶＯＢ」のファイル構造を示す図
【図４】ＤＶＤ−ＲＴＲにおける「ＲＴＲ＿ＭＯＶ．ＶＲＯ」のファイル構造を示す図
【図５】Ａ／Ｄ変換器２１およびＡＶエンコード部２２の詳細構造を示すブロック図
【図６】複数種類の録画方式での同時エンコード処理を説明するフローチャート
【図７】ディレクトリ「ＣＯＰＹ＿ＤＡＴＡ」の構成を示す図
【図８】記録データのコピー時の処理を説明するフローチャート
【図９】データを変換しながらコピーを行う際の処理を説明するフローチャート
【図１０】ＡＶエンコード部２２の他の実施形態を説明するブロック図
【符号の説明】
１０　　ＭＰＵ部
１３　　管理情報作成部
１４　　種別判定部
１５　　フォーマット判定部
１６　　コピーデータ特定部
２０　　エンコード部
２１　　Ａ／Ｄ変換器
２２　　ＡＶエンコード部
５０１、５０３　　ビデオエンコード部
５０５、５０７　　オーディオエンコード部
【図１】
2004118986.tif 000003
【図２】
2004118986.tif 000004
【図３】
2004118986.tif 000005
【図４】
2004118986.tif 000006
【図５】
2004118986.tif 000007
【図６】
2004118986.tif 000008
【図７】
2004118986.tif 000009
【図８】
2004118986.tif 000010
【図９】
2004118986.tif 000011
【図１０】
2004118986.tif 000012